(57)【要約】
【課題】　従来の風呂敷の包装方法において用いる部材では、作業者によって仕上がりの形状にばらつきが生じ、また、一般消費者にとっては折り畳み方が難しく、和服の形状を再現できない場合があった。
【解決手段】　風呂敷Ｆに添えて折り畳むことにより、風呂敷Ｆを和服の形状に包装することを可能にした台紙Ｄであって、略台形状の台紙本体を、２本の折り曲げ線Ｌ１，Ｌ２を介して３つの区画に分け、中央を後ろ身頃部１とし、その両側の斜辺Ｈ３，Ｈ４を含む部分を左身頃部２及び右身頃部３として構成するとともに、前記左右身頃部２，３の斜辺Ｈ３，Ｈ４の付近を所定の幅だけ折り返して、折り畳んだ状態のときに和服の襟の部分となる、襟部４，５を設けた台紙Ｄを用いる。
【選択図】　図１
0003099613.tif 000002
【実用新案登録請求の範囲】
【請求項１】
　風呂敷に添えて折り畳むことにより、風呂敷を和服の形状に包装することができる台紙であって、略台形状の台紙本体を、２本の折り曲げ線を介して３つの区画に分け、中央を後ろ身頃部とし、その両側の斜辺を含む部分を左身頃部及び右身頃部として構成するとともに、前記左右身頃部の斜辺の付近を所定の幅だけ折り返して、折り畳んだ状態のときに和服の襟の部分となる、襟部を設けたことを特徴とする風呂敷包装用台紙。
【請求項２】
　前記後ろ身頃部と前記左右身頃部の境界を、上端から下方に向けて所定の位置まで切り離すとともに、前記後ろ身頃部に、上下方向に２本の切れ込みを設けたことを特徴とする請求項１記載の風呂敷包装用台紙。
【請求項３】
　前記２本の切れ込みの間の部分の領域に、所望の模様及び／又は色彩を付したことを特徴とする請求項２記載の風呂敷包装用台紙。
【請求項４】
　前記２本の切れ込みが、下方において中央寄りに曲折していることを特徴とする請求項２又は３記載の風呂敷包装用台紙。
【請求項５】
　前記２本の切れ込みの間の部分の上端を、波形に形成したことを特徴とする請求項２〜４の何れかに記載の風呂敷包装用台紙。
【請求項６】
　前記後ろ身頃部の２本の切れ込みの外側の部分の上端と、前記襟部の上端に、折りしろを設けたことを特徴とする請求項２〜５の何れかに記載の風呂敷包装用台紙。
【考案の詳細な説明】
【技術分野】
【０００１】
　本考案は、風呂敷を折り畳んで和服の形状に包装することができる風呂敷包装用台紙に関するものである。
【背景技術】
【０００２】
　風呂敷は、一般に、奇抜なデザインの商品よりも、和装品においてよく使用される落ち着いたデザインの商品の方が人気のあることが多い。そこで、風呂敷を取り扱う業者は、風呂敷自体のデザインは既存の落ち着いたものを使用しながらも、例えば、風呂敷を牡丹の花に似せた渦巻き状の形状に包装したり、和服の形状に包装するなどして、需要者の注意を惹き、他社製品との差別化を図っている。
【０００３】
　ところが、風呂敷は、薄手の生地で滑りやすいため、店頭で、牡丹の花や和服の形状に包装していても、消費者がその商品を購入して、自宅に持ちかえって見たときには、型崩れしてしまっているという問題があった。
【０００４】
　そこで、本出願人は、特開２００２−１０４４９５号において、風呂敷に補強部材と芯材を宛がい、所定の方法により折り畳むと和服の形状に包装することができる風呂敷の包装方法を提案した。この方法によれば、包装された商品を持ち運びしても型崩れすることはなく、しかも、風呂敷自体に特殊なデザインを施す必要もないという利点がある。
【０００５】
　しかしながら、図６〜図８に示す特開２００２−１０４４９５号の風呂敷の包装方法に用いる補強部材ｈと芯材ｓには、以下の問題点があった。
　１）　この従来の方法は、図６（ａ）に示すように、最初に、二つ折りにした風呂敷Ｆの一辺の両端の角部に、芯材ｓ１，ｓ２を斜め向きに配置し、補強部材ｈを風呂敷Ｆの中央の後ろ身頃部Ｆ２に宛がうとともに、図６（ｂ）〜図７（ａ）に示すように、左右身頃部Ｆ１，Ｆ２の角部を芯材ｓ１，ｓ２に数回巻き付けた後、風呂敷Ｆを補強部材ｈの上下及び左右の端で折り曲げるものである。そして、図７（ｂ）〜図８に示すように、芯材ｓ１，ｓ２を折り返して襟部Ｆ１６，Ｆ３６を形成することにより、風呂敷Ｆを和服の形状に包装することができる。ところが、この従来の方法は、補強部材ｈと芯材ｓ１，ｓ２が別体に構成されているため、最初に芯材ｓ１，ｓ２を配置する際の位置や角度が不適切であると、仕上がりが不恰好になるという問題があった。
　２）　そのため、この包装作業に慣れた者が行う場合と、不慣れな者が行う場合とで、仕上がりの形状に、ばらつきが生じるという問題が生じていた。
　３）　また、この商品を購入した一般消費者が、補強部材ｈと芯材ｓ１，ｓ２を取り外した後、もう一度、和服の形状に折り畳もうとしても、折り畳み方が複雑であるため、再現できない場合があるという問題もあった。
【０００６】
　本考案は、上記した従来の問題点に鑑みてなされたものであり、作業者の熟練度によらず、仕上がりの形状が一定となり、また、一般消費者であっても、容易に、和服の形状を再現することができる風呂敷包装用台紙を提供することを目的としている。
【考案の開示】
【考案が解決しようとする課題】
【０００７】
　解決しようとする課題は、従来の方法において用いる部材では、作業者によって仕上がりの形状にばらつきが生じ、また、一般消費者にとっては、折り畳み方が難しく、和服の形状を再現できない場合があるという点にある。
【課題を解決するための手段】
【０００８】
　本考案は、風呂敷に添えて折り畳むことにより、風呂敷を和服の形状に包装することを可能にした台紙であって、略台形状の台紙本体を、２本の折り曲げ線を介して３つの区画に分け、中央を後ろ身頃部とし、その両側の斜辺を含む部分を左身頃部及び右身頃部として構成するとともに、前記左右身頃部の斜辺の付近を所定の幅だけ折り返して、折り畳んだ状態のときに和服の襟の部分となる、襟部を設けたことを最も主要な特徴とする。
【考案の効果】
【０００９】
　本考案によれば、後ろ身頃部と襟部が一体に構成され、襟部の角度は左右身頃部の斜辺の角度によって、予め決定されたものとなるため、仕上がりの形状が一定となるという利点がある。また、折り畳み方が簡単であるため、一般消費者でも容易に再現できるという利点がある。
【考案を実施するための最良の形態】
【００１０】
　本考案の風呂敷包装用台紙は、風呂敷に添えて折り畳むことにより、風呂敷を和服の形状に包装することができる台紙であって、略台形状の台紙本体を、２本の折り曲げ線を介して３つの区画に分け、中央を後ろ身頃部とし、その両側の斜辺を含む部分を左身頃部及び右身頃部として構成するとともに、前記左右身頃部の斜辺の付近を所定の幅だけ折り返して、折り畳んだ状態のときに和服の襟の部分となる、襟部を設けたものである。なお、台紙の材質としては、例えばボール紙や合成樹脂等を使用することができる。
【００１１】
　前記本考案において、後ろ身頃部と左右身頃部の境界を、上端から下方に向けて所定の位置まで切り離すとともに、後ろ身頃部に、上下方向に２本の切れ込みを設ければ、風呂敷をこの２本の切れ込み部分と後ろ身頃部の両端の切れ込みに交互に挿入して固定することができるので、型崩れすることがなくなり好適である。また、その場合において、２本の切れ込みの間の部分の領域に、所望の模様や色彩を施すようにすれば、それが、仕上がり時に、後ろ身頃部の裏地の図柄として表れるため、風呂敷自体の模様や色彩とのコントラストが楽しめる。
【００１２】
　また、上記の場合において、２本の切れ込みを下方において中央寄りに曲折するようにすれば、切れ込みの最深部まで風呂敷を挿入しても、２本の切れ込みの間の部分が浮き上がらず好適である。また、２本の切れ込みの間の部分の上端を、波形に形成すれば、風呂敷と台紙がしっかりと固定されるので好適である。さらに、後ろ身頃部の２本の切れ込みの外側の部分の上端と、襟部の上端に、折りしろを設ければ、風呂敷の上端を折り返した際にしっかりと固定されるので、型崩れしにくくなる。
【実施例】
【００１３】
　以下、本考案について詳細に説明する。図１は、本実施例の台紙Ｄの全体を表した図、図２〜図５は、本実施例の台紙Ｄを用いて、風呂敷Ｆを和服の形状に折り畳む手順を説明する図である。
【００１４】
　本実施例の台紙Ｄは、底辺Ｈ１が約３２〜３８ｃｍ、上辺Ｈ２が約１９〜２４ｃｍ、高さが約１９〜２４ｃｍの略台形状の台紙本体からなり、材質としてはボール紙を使用している。台紙Ｄには、図１に示すように、底辺Ｈ１の両端から約１０〜１２ｃｍ中央寄りの位置に、２本の折り曲げ線Ｌ１，Ｌ２が設けられている。なお、Ｌ１，Ｌ２は、図１に示す面において、谷折りされる折り曲げ線であって、底辺Ｈ１から約３〜４ｃｍの部分以外は、切れ込みの状態となっている。
【００１５】
　台紙Ｄは、折り曲げ線Ｌ１，Ｌ２を介して３つの区画に分けられる。中央は後ろ身頃部１であり、斜辺Ｈ３を含む部分は左身頃部２、斜辺Ｈ４を含む部分は右身頃部３である。そして、左右身頃部２，３の斜辺Ｈ３，Ｈ４の付近をそれぞれ約２ｃｍの幅だけ折り返して、襟部４，５を設けている。
【００１６】
　また、本実施例の台紙Ｄは、前述のように、後ろ身頃部１と左右身頃部２，３の境界を上端から下方に向けて折り曲げ線Ｌ１，Ｌ２の位置まで切り離すとともに、後ろ身頃部１に、上下方向に２本の切れ込みＫ１，Ｋ２を設けている。そして、この切れ込みＫ１，Ｋ２の間の部分の領域Ｒ１に、風呂敷Ｆのデザインと良く調和する模様及び色彩を付している。なお、切れ込みＫ１，Ｋ２を設ける位置は、上辺Ｈ２の両端から約７〜９ｃｍ中央寄りの位置としている。
【００１７】
　切れ込みＫ１，Ｋ２の深さは、図１に示すように、底辺Ｈ１から約３〜４ｃｍの高さの位置までとしているが、本実施例の台紙Ｄでは、底辺Ｈ１から約７〜８ｃｍ位の位置から下方において、切れ込みＫ１，Ｋ２を中央寄りに曲折させている。また、切れ込みＫ１，Ｋ２の間の部分の領域Ｒ１の上端は、図１に示すように、波形にカットしたものを用いている。また、後ろ身頃部１の２本の切れ込みＫ１，Ｋ２の外側の部分であるＲ２，Ｒ３の上端と、襟部４，５の上端には、約３〜５ｃｍの長さの折りしろ６，７，８，９を設けている。
【００１８】
　次に、図２〜図５を用いて、本実施例の台紙Ｄを用いて風呂敷Ｆを和服の形状に折り畳む手順について説明する。
　先ず、風呂敷Ｆは、図２（ａ）に示すように、真ん中で二つ折りとし、そのうちの一方の面を、切れ込みＫ１，Ｋ２と、後ろ身頃部１の左右両端の切れ込みに挿入させる。このとき、図２（ｂ）のように、左身頃部２、後ろ身頃部１の領域Ｒ１、右身頃部３は、図２に示す面から見て風呂敷Ｆの上側となるようにし、後ろ身頃部１の領域Ｒ２，Ｒ３は、図２に示す面から見て風呂敷Ｆの下側となるように交互に挿入する。
【００１９】
　図３（ａ）は、風呂敷Ｆを台紙Ｄの切れ込みＫ１，Ｋ２に完全に挿入した状態を示している。なお、本実施例では、風呂敷Ｆが折りしろ６，７に突き当たるまで挿入すれば良いため、作業者がどの程度の深さまで挿入すれば良いかを判断する必要はない。
　そして、図３（ｂ）に示すように、風呂敷Ｆの下端部を台紙Ｄの底辺Ｈ１に合わせて三つ折するとともに、図４（ａ）〜（ｂ）に示すように、風呂敷Ｆの両サイドを台紙Ｄに合わせて折り込み、折り曲げ線Ｌ１，Ｌ２の位置で谷折りし、襟部４，５をそれぞれ外側に折り返す。
【００２０】
　最後に、図５（ａ）〜（ｂ）に示すように、折りしろ６，７，８，９を折り曲げて、風呂敷Ｆの上部を裏側方向に折り返すとともに、風呂敷Ｆの下部も裏側方向に折り返して、クリップを用いて固定する。
　このようにして、本実施例の台紙Ｄを用いて、風呂敷Ｆを和服の形状に折り畳む場合には、後ろ身頃部１と襟部４，５が一体に構成されていて、襟部４，５の角度は、左右身頃部２，３の斜辺Ｈ３，Ｈ４の角度によって予め決定されているため、作業者の熟練度によらず、仕上がりの形状が一定となる。また、折り畳み方が簡単であるため、一般消費者でも容易に和服の形状を再現できる。
【００２１】
　上記の点に加えて、本実施例の台紙Ｄによれば、以下の利点もある。
　１）　後ろ身頃部１と左右身頃部２，３の境界を、上端から下方に向けて所定の位置まで切り離すとともに、後ろ身頃部１に、上下方向に２本の切れ込みＫ１，Ｋ２を設けたため、風呂敷Ｆをこの部分に交互に挿入してしっかりと固定することができる。従って、型崩れすることがなく好適である。
　２）　また、２本の切れ込みの間の部分の領域Ｒ１に、模様と色彩を施したため、それが、仕上がり時に、図５（ｂ）に示すように、後ろ身頃部１の裏地の図柄として表れ、風呂敷Ｆ自体の模様や色彩とのコントラストが楽しめる。
【００２２】
　３）　また、２本の切れ込みＫ１，Ｋ２を、下方において中央寄りに曲折するようにしたため、図３（ａ）に示す状態において、切れ込みＫ１，Ｋ２の最深部まで風呂敷Ｆを挿入しても、２本の切れ込みの間の領域Ｒ１の部分が浮き上がらず好適である。
　４）　また、２本の切れ込みＫ１，Ｋ２の間の部分の領域Ｒ１の上端を、波形に形成したため、図５（ｂ）に示す仕上がり時の状態において、風呂敷Ｆが台紙Ｄにしっかりと固定される。
　５）　さらに、後ろ身頃部１の２本の切れ込みＫ１，Ｋ２の外側の部分の領域Ｒ２，Ｒ３の上端と、襟部４，５の上端に、折りしろ６，７，８，９を設けたため、風呂敷Ｆを切れ込みＫ１，Ｋ２に挿入する際の目安となる上、風呂敷の上端を折り返した際にしっかりと固定され、型崩れしにくくなる。
【産業上の利用可能性】
【００２３】
　なお、本実施例では、ボール紙を用いて台紙Ｄを構成する場合の例を開示したが、台紙Ｄは、適当な硬さを備え、折り曲げることが可能な材質であれば良く、例えば合成樹脂等を用いても良いことは言うまでもない。また、本考案の風呂敷包装用台紙は、風呂敷の販売の際に利用されることは勿論、家庭においてインテリアとして楽しむ際にも利用できるものである。
【図面の簡単な説明】
【００２４】
【図１】本考案の台紙の全体構成を表した図である。
【図２】本考案の台紙を用いて、風呂敷を包装する手順を表した図であって、（ａ）は、風呂敷を二つ折りにした状態の説明図、（ｂ）は、風呂敷を切れ込みに挿入する過程の説明図である。
【図３】（ａ）は、風呂敷の挿入が完了した状態の説明図、（ｂ）は、風呂敷を下端を三つ折した状態の説明図である。
【図４】（ａ）は、風呂敷の両サイドを折り曲げた状態の説明図、（ｂ）は、台紙の右身頃部を折り返した状態の説明図である。
【図５】（ａ）は、風呂敷の上下部を裏側に折り返す際の説明図、（ｂ）は、本考案の台紙を用いて、和服の形状に包装された風呂敷を表した図である。
【図６】（ａ）は、従来の風呂敷の包装方法に用いる補強部材と芯材の説明図、（ｂ）は、風呂敷を芯材に数回巻き付けた状態の説明図である。
【図７】（ａ）は、従来の風呂敷の包装方法において、風呂敷を芯材に巻き付けた状態の説明図、（ｂ）は、風呂敷を折り畳む過程の説明図である。
【図８】従来の風呂敷の包装方法により、和服の形状に包装された風呂敷を表した図である。
【符号の説明】
【００２５】
　Ｄ　台紙
　１　後ろ身頃部
　２　左身頃部
　３　右身頃部
　４，５　襟部
　６，７，８，９　折りしろ
　Ｌ１，Ｌ２　折り曲げ線
　Ｈ３，Ｈ４　斜辺
　Ｋ１，Ｋ２　切れ込み
　Ｒ１　領域
　Ｆ　風呂敷
【図１】
0003099613.tif 000003
【図２】
0003099613.tif 000004
【図３】
0003099613.tif 000005
【図４】
0003099613.tif 000006
【図５】
0003099613.tif 000007
【図６】
0003099613.tif 000008
【図７】
0003099613.tif 000009
【図８】
0003099613.tif 000010